(57)【要約】      （修正有）【課題】器具を使わづに、簡単にペットボトルのキャップを開けることを可能し、ペットボトル底部の凹凸リング溝をキャップの凹凸を利用して、連結開封できるペットボトルを提供する。【解決手段】ペットボトル容器は、上部がせばまった円筒状の容器の本体２に、材質が異なるキャップ１があり、キャップは、容器底の外輪とキャップ内輪の凹凸面を持つ。外輪は内側面に蓋形状の凹凸の溝、又は３点を利用する力学モーメントの３乗で２１角までの溝を可能とした形状で、キャップが入る凹凸連結空間が接着して飲み口のキャップを緩める機能と、複数のペットボトルの連結保管機能を持つ。ペットボトルの底にキャップが入る空間に凹凸の溝形を備えることで、子供や老人であっても、簡単にキャップを取り除くことができる。【選択図】図１
2016052913.tif 000002
【特許請求の範囲】
【請求項１】
飲料水等を入れたペットボトル本体内底８に、キャップ１が入る空間に凹凸の内面に、縦状リング溝８又は横上のリング８を設けた本体容器底部８に、キャップ１を装着した該、容器のキャップ１面の溝とペットボトル容器の容器底部９に設けた、凹凸縦状リング溝８と接合接着してキャップ１を要した容器を填めて、キャップの開閉ができる、      ペットボトル容器。
【請求項２】
飲料水等を入れた容器底８の面内側に、飲み口のキャップ１を納める空間を設けた底面内面に９にキャップを緩める凹凸形状リング溝８又は、縦状の凹凸溝を設けた、ペットボトル容器。
【請求項３】
筒状の容器の中に、２つ以上の容器飲料水等を入れた容器底の溝面９の凹凸面と、キャップ１縦状の凹凸溝を付けた容器を連結した、      ペットボトル容器。
【請求項４】
上記、［請求項１］〜［請求項３］のいずれか１項に記載のペットボトル容器の外側面方向から縦向き、又は横向き径方向に延びた、複数のペットボトル容器同士の凹面とキャップ蓋付きのペットボトル容器凸を連結接続する、      ペットボトル容器。
【発明の詳細な説明】
【容器発明の詳細な説明】
【技術分野】
【０００１】本発明は、ペットボトルのキャップの開閉に関し、ペットボトルの底面部に設けたものである。特に、ペットボトルのキャップを簡単に開けることができる。また、嵩張る空になったペットボトルの処理及び保管に関する。
【背景技術】
【０００２】ペットボトルは、人が生活する上で欠かすことができない商品となっている。また、ペットボトルは、携帯に便利で、割れにくい材質で、液体が外に漏れにくい等の長所をもつため、災害時とか運動や野外活動の際に携帯されることが多く、いつでも必要な水分を取ることができるが、ペットボトルのキャップは回転させて開ける必要があり、使用者が病人や老人子供の場合、キャップを回転させる力に限りがあるため、使用者が手が滑りキャップを開けられないとか、また、病室とか保管場所では嵩張る空になったペットボトルの処理及び保管方法とかの決解が求められている。
【発明が解決しようとする課題】
【０００３】従来の開閉方法では、開閉器具を用いていた為、不便を要していた。また、空になったペットボトルの散乱を防ぎ後片付け処理及び場所を取らない保管機能と縦積及び横方向に連結機能。
【０００４】上述の目的を達するためには、ペットボトル本体内底に、キャップが入る凹凸空間の溝とペットボトルとキャップの溝が接着して開ける機能と、本体とキャップの接合を利用し、ペットボトル同士の連結を配置することでペットボトルの管理と保管が簡素化する。
【課題を解決するための手段】
【０００５】上記目的を達成するため、請求項１の発明は、ペットボトル本体内底８に、キャップ１が入る凹凸空間に凹凸面の溝構造にする第１工程。
【０００６】［請求項２］本体容器底部８の凹凸容器とキャップ１面が接合接着して大きな力を必要とせずに、本体容器同士を左右にねじることで、キャップ１を開ける機能となる。第２工程。
【０００７】［請求項３］本体とキャップの接合接着を利用し、ペットボトル同士の連結を図る。本体容器底部８の凹凸面の溝とキャップ１の凹凸溝を利用し、キャップ１の開封と複数のペットボトルを連結を図ることで、保管場所の整理整頓、持ち運びが簡素化できる。第３工程。
【０００８】参考文献
特許公開２０１０−２６９８４４
・特開２００２−２７４５５２号
・実用新案出願２０１０−１４４０
【実施例】
【発明を実施するための形態】
【０００９】以下、この発明を図示の実施の形態により詳細に説明する。
ペットボトル容器は、射出成形はプラスチックなどの加工法である。熱可塑性樹脂の場合が典型的で、軟化する温度と加熱したプラスチックを、射出圧（１０−３０００ｋｇｆ／ｃ）を加えてに金型に押込み、型に充填して成形する。製造工程である。また、ペットボトルの底部に対し、本体部を接合する際、ペットボトルの底部内壁にキャップ接触させても、外筒部本体がペットボトル口部内壁と接触することで、傷ついてしまったり、変形してしまったりすることを防止できる。
【００１０】請求項１の容器構造においては、瓶状容器の首部に装着されるキャップ付き容器は、本体容器底にキャップが収納される容器本体底に、該容器本体のキャップ外部を閉じる凹凸リングと蓋部とを備え、前記容器本体の底部の空間における凹凸状のリング又は、縦状の凹凸物は、内周縁部がキャップ付き容器瓶状容器の首部におけるフランジ部と前記容器本体の底部の空間に蓋体との間の凹状部に凹凸リング又は、縦状の凹凸物の接合が形成されているものである。
【００１１】請求項２の容器構造においては、容器の底部は、下方へ延在する辺と、辺の下端に繋がる底部を形成する凹凸部と凹凸リング溝又は縦型の凹凸溝を備え、前記中央部及び辺の下方に形成された空間部に、キャップ付き容器瓶状容器が連結し繋がるように構成したものである。
【００１２】請求項３の連結容器構造においては、連結容器がキャップ付き容器に所定状態に装着された際には、前記連結容器の最も高い位置と前記キャップ付き容器の頂部は、略同一の高さと径状になるよう構成されている。
【００１３】請求項４の連結容器構造においては、連結容器の側板と平行な水平方向における最大寸法は、キャップ付き容器における容器本体の外径と略等しいか、該容器本体の外径より  も小さく形成されている。
【００１４】請求項４の連結容器構造においては、首部挿通孔を楕円形状とし、且つ、長径をキャップ付き容器の蓋体が通過することのできる最短寸法とし、短径を蓋体の最大外径よりも０．５〜１ｍｍ以内の範囲で前記蓋体よりも小さく形成されている。
【００１５】従来のペットボトル容器は、上部がせばまった４角容器及び円筒状の容器に、使用されている材質が異なるキャップ蓋をしている。又、蓋１の形状は、ほぼ同じであり、蓋１外面と外輪リング凹凸１０とキャップ１の凹凸を持つ外輪リング１０の凹凸面は、容器底凹凸外輪リング１０の内側に６点を起点とする同じ大きさの６角面状の凹凸形状とすることで、容器底の外側のキャップ外輪１の凹凸形状で、２つの本体を接合して左右にねじり蓋を緩めたり、連結する役目をする。
【００１６】更に空になったペットボトル容器２をキャップ１して、容器底の外輪１０とキャップ外輪１を接合し合体連結した複数のペットボトル容器を、縦方向及び横方向に伸ばし容器の散乱を防ぎ、持ち運びと保管場所確保を容易にする。また、外筒部の外筒部本体を、曲げ弾性率（ＪＩＳ  Ｋ  ６９２１−２）が１２００ＭＰａ以下であり、表面硬度（ＪＩＳ  Ｋ  ７２０２（Ｒスケール））が８５以上である材料により構成している。熱硬化性樹脂の場合、始めに５０℃前後に加温し、流動性を持たせた後、高温の金型（約１５０℃前後）へ充填して硬化（固化）させる。
【発明の効果】
【００１７】ペットボトル容器のキャップ蓋を緩めるのに力を要せず、また器具を使用することなく、更に嵩張る空になった容器を連結することで、容器の拡散と持ち運び及び保管管理の手間と時間を簡素化できて、筒に入れて複数の容器を縦積使用とか非常に使用分野の多いペットボトル容器になる。
【符号の説明】
【００１８】１  キャップ  ２．本体  ３．弾性部材  ４．凹凸連結空間  ５．連結前  ６．連結後  ７．リング  ８．凹凸接合部分  ９．本体底  １０．凹凸リング  １１．本体弾性部材  １２．本体凹底
【図面の簡単な説明】
【００１９】
【図１】  傾斜図
【図２】  断面図
【図３】  ４角・円形の底面図
【図１】
2016052913.tif 000003
【図２】
2016052913.tif 000004
【図３】
2016052913.tif 000005
【手続補正書】
【提出日】平成27年2月28日(2015.2.28)
【手続補正１】
【補正対象書類名】特許請求の範囲
【補正対象項目名】全文
【補正方法】変更
【補正の内容】
【特許請求の範囲】
【請求項１】
飲料水等を入れたペットボトル本体内底９に、キャップ１が入る空間に凹凸の内面に、ボトル底の凹部に、縦のリング状溝と横のリング状溝の３乃至２１の力点を角面状とする接着構造８に、キャップ１を装着した該、容器のキャップ１面の溝とペットボトル容器底部９に設けた、キャップ１を要した容器を填めて、キャップの開閉ができる、  ペットボトル容器。
【請求項２】
飲料水等を入れた容器底８の面内側に、飲み口のキャップ１を納める空間を設けたペットボトル容器底部９にキャップを緩める縦のリング状溝又は、横のリング状溝の３乃至２１の力点を角面状とする接着構造８を設けた、  ペットボトル容器。
【請求項３】
筒状の容器の中に、［請求項１］から［請求項２］記載のいずれか１項で、２つ以上の容器飲料水等を入れた容器底の溝面９の凹凸面と、キャップ１縦状の凹凸溝を付けた容器を連結した、  ペットボトル容器。。
【請求項４】
［請求項１］から［請求項３］記載のいずれか１項で、ペットボトル容器の外側面方向から縦向き、又は横向き径方向に延びた、複数のペットボトル容器底の凹面とキャップ蓋付きのペットボトル容器凸を連結接続する、  ペットボトル容器。
【手続補正２】
【補正対象書類名】明細書
【補正対象項目名】全文
【補正方法】変更
【補正の内容】
【発明の詳細な説明】
【容器発明の詳細な説明】
【技術分野】本発明は、ペットボトルのキャップの開閉に関し、ペットボトルの底面部に縦リング状溝と横のリング状溝の３点乃至２１点の力点を角面状とする接着構造８を設けたものである。特に、ペットボトルのキャップを簡単に開けることができる。また、嵩張る空になったペットボトルの処理及び保管に関する。
【背景技術】
【０００２】ペットボトルは、人が生活する上で欠かすことができない商品となっている。また、ペットボトルは、携帯に便利で、割れにくい材質で、液体が外に漏れにくい等の長所をもつため、災害時とか運動や野外活動の際に携帯されることが多く、いつでも必要な水分を取ることができるが、ペットボトルのキャップは回転させて開ける必要があり、使用者が病人や老人子供の場合、キャップを回転させる力に限りがあるため、使用者の手が滑りキャップを開けられないとか、また、病室とか保管場所では嵩張る空になったペットボトルの処理及び保管方法とかの決解が求められている。
【発明が解決しようとする課題】
【０００３】従来の開閉方法では、開閉器具を用いていた為、不便を要していた。また、空になったペットボトルの散乱を防ぎ後片付け処理及び場所を取らない保管機能と縦積及び横方向に連結機能。
【０００４】上述の目的を達するために、ペットボトルの底面部に縦リング状溝と横のリング状溝の３点乃至２１点を力点の角面状とする接着構造８を設けた容器底に、キャップが入る凹凸空間の溝とペットボトルとキャップの溝が接着して開ける機能と、本体とキャップの接合を利用しペットボトル同士の連結を配置することで、ペットボトルの管理と保管が簡素化する。
【課題を解決するための手段】
【０００５】上記目的を達成するため、請求項１の発明は、ペットボトル本体内底８に、キャップ１が入る凹凸空間に、縦リング状溝と横のリング状溝の３点乃至２１点の力点を、角面状とする接着構造８を設けた容器底にする。第１  工程
【０００６】［請求項２］  本体容器底部８の凹凸容器とキャップ１面が接合接着して大きな力を必要とせずに、本体容器同士を左右にねじることで、キャップ１を開ける機能となる。第２  工程。
【０００７】［請求項３］  本体とキャップの接合接着を利用し、ペットボトル同士の連結を図る。本体容器底部８の凹凸面の溝とキャップ１の凹凸溝を利用し、キャップ１の開封と複数のペットボトルを連結を図ることで、保管場所の整理整頓、持ち運びが簡素化できる。第３  工程。
【０００８】参考文献
特許公開  ２０１０−２６９８４４
・特開２００２−２７４５５２号
・実用新案出願２０１０−１４４０
【実施例】
【発明を実施するための形態】
【０００９】以下、この発明を図示の実施の形態により詳細に説明する。
ペットボトル容器は、射出成形はプラスチックなどの加工法である。熱可塑性樹脂の場合が典型的で、軟化する温度と加熱したプラスチックを、射出圧（１０−３０００ｋｇｆ／ｃ）を加えてに金型に押込み、型に充填して成形する。製造工程である。また、ペットボトルの底部に対し、本体部を接合する際、ペットボトルの底部内壁にキャップ接触させても、外筒部本体がペットボトル口部内壁と接触することで、傷ついてしまったり、変形してしまったりすることを防止できる。
【００１０】請求項１の容器構造においては、瓶状容器の首部に装着されるキャップ付き容器は、本体容器底にキャップが収納される容器本体底に、該容器本体のキャップ外部を閉じる凹凸リングと蓋部とを備え、前記容器本体の底部の空間における凹凸状のリング又は、縦状の凹凸物は、内周縁部がキャップ付き容器瓶状容器の首部におけるフランジ部と前記容器本体の底部の空間に蓋体との間の凹状部の凹凸リングは、縦リング状溝と横のリング状溝の３点乃至２１点の力点を、角面状とする接着構造８の接合が形成されるものである。
【００１１】請求項２の容器構造においては、容器の底部は、下方へ延在する辺と、辺の下端に繋がる底部を形成する凹凸部と横状の凹凸リング溝又は縦型の縦リング状溝の３点乃至２１点の力点を角面状とする接着構造８を備え、前記中央部及び辺の下方に形成された空間部に、キャップ付き容器瓶状容器が、連結し繋がるように構成したものである。
【００１２】請求項３の連結容器構造においては、連結容器がキャップ付き容器に所定状態に装着された際には、前記連結容器の最も高い位置と前記キャップ付き容器の頂部は、略同一の高さと径状になるよう構成されている。
【００１３】請求項４の連結容器構造においては、連結容器の側板と平行な水平方向における最大寸法は、キャップ付き容器における容器本体の外径と略等しいか、該容器本体の外径よりも小さく形成されている。
【００１４】請求項４の連結容器構造においては、首部挿通孔を楕円形状とし、且つ、長径をキャップ付き容器の蓋体が通過することのできる最短寸法とし、短径を蓋体の最大外径よりも０．５〜１ｍｍ以内の範囲で前記蓋体よりも小さく形成されている。
【００１５】従来のペットボトル容器は、上部がせばまった４角容器及び円筒状の容器に、使用されている材質が異なるキャップ蓋をしている。又、蓋１の形状は、ほぼ同じであり、蓋１外面と外輪リング凹凸１０と、キャップ１の凹凸を持つ外輪リング１０の凹凸面は、容器底凹凸外輪リング１０の内側に６点を起点とする同じ大きさの６角面状の凹凸形状とすることで、容器底の外側のキャップ外輪１の凹凸形状で、２つの本体を接合して左右にねじり蓋を緩めたり、連結する役目をする。
【００１６】更に空になったペットボトル容器２をキャップ１して、容器底の外輪１０と  キャップ外輪１を接合し合体連結した複数のペットボトル容器を、縦方向及び横方向に伸ばし容器の散乱を防ぎ、持ち運びと保管場所確保を容易にする。また、外筒部の外筒部本体を、曲げ弾性率（ＪＩＳ  Ｋ  ６９２１−２）が１２００ＭＰａ以下であり、表面硬度（ＪＩＳ  Ｋ  ７２０２（Ｒスケール））が８５以上である材料により構成している。熱硬化性樹脂の場合、始めに５０℃前後に加温し、流動性を持たせた後、高温の金型（約１５０℃前後）へ充填して硬化（固化）させる。
【発明の効果】
【００１７】ペットボトル容器のキャップ蓋を緩めるのに力を要せず、また器具を使用することなく、更に嵩張る空になった容器を連結することで、容器の拡散と持ち運び及び保管管理の手間と時間を簡素化できて、筒に入れて複数の容器を縦積使用とか非常に使用分野の多いペットボトル容器になる。
【符号の説明】
【００１８】１  キャップ    ２．本体    ３．弾性部材    ４．凹凸連結空間    ５．連結前
６．連結後    ７．リング    ８．凹凸接合部分    ９．本体底    １０．凹凸リング
１１．本体弾性部材    １２．本体凹底
【図面の簡単な説明】
【００１９】
【図１】  傾斜図
【図２】  断面図
【図３】  ４角・円形の底面図
【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
飲料水等を入れたペットボトル本体容器底８に、キャップ１が入る空間内面を凹凸状の縦リング状溝と縦リング状による複数の起点を、縦リング状溝の凹面と縦リング状凸面とする、キャップ開閉と脱着可能構造を設けた、  ペットボトル容器。
【請求項２】
飲料水等を入れたペットボトル本体容器底８に、キャップ１が入る空間内面を凹凸状の縦リング溝又は、縦リングによる複数の起点を、縦リング溝の凹面又は縦リングの凸面とする、キャップの連結と脱着可能構造を設けた、  ペットボトル容器。
【請求項３】
上記、［請求項１］から［請求項２］記載のいずれか１項で、２つ以上の容器飲料水等を入れた容器底の脱着可能構造を設けた凹凸面と、キャップ１縦状の凹凸面との連結と脱着可能構造を設けた、    ペットボトル容器。
【請求項４】
上記、［請求項１］、［請求項２］、［請求項３］記載のいずれか１項の容器を通して、複数のペットボトル容器同士で連結保管する、      ペットボトル容器。
【手続補正２】
【補正対象書類名】明細書
【補正対象項目名】０００１
【補正方法】変更
【補正の内容】
【０００１】本発明は、ペットボトルのキャップの開閉に関し、ペットボトルの底面部に凹凸状の縦リング状溝と縦リング状の複数を起点とする、脱着可能構造を設けたものである。特に、ペットボトルのキャップを簡単に開けることができる。また、嵩張る空になったペットボトルの処理及び保管に関する。
【手続補正３】
【補正対象書類名】明細書
【補正対象項目名】０００４
【補正方法】変更
【補正の内容】
【０００４】上述の目的を達するために、ペットボトルの底面部に凹凸状の縦リング状溝と縦リング状を延ばした複数の凹凸面を起点とする、脱着可能構造を設けた容器底に、キャップが入る凹凸空間の溝とペットボトルとキャップの凹凸と溝が接合して開閉機能と、本体とキャップの凹凸を利用しペットボトル同士の連結を配置することで、ペットボトルの管理と保管が簡素化する。
【手続補正４】
【補正対象書類名】明細書
【補正対象項目名】０００５
【補正方法】変更
【補正の内容】
【０００５】上記目的を達成するため、請求項１の発明は、ペットボトル本体内底８に、キャップ１が入る凹凸空間に、凹凸状の縦リング状溝と縦のリング状を延ばした複数を起点とする、連結及びキャップの接合とキャップの開閉及び、脱着可能構造を設けた容器底にする。第１工程
【手続補正５】
【補正対象書類名】明細書
【補正対象項目名】０００６
【補正方法】変更
【補正の内容】
【０００６】［請求項２］本体容器底部８の凹凸容器とキャップ１面が接合して、大きな力を必要とせずに、本体容器同士を左右にねじることで、キャップ１を開ける脱着可能構造を設けた機能となる。第２工程。
【手続補正６】
【補正対象書類名】明細書
【補正対象項目名】００１７
【補正方法】変更
【補正の内容】
【００１７】ペットボトル容器のキャップ蓋を緩めるのに力を要せず、また器具を使用することなく、更に嵩張る空になった容器を連結することで、容器の拡散を防ぎ又、持ち運び及び保管管理の手間と時間を簡素化し、複数の容器を縦積み又は容器を水平方向に連結し、嵩積み連結保管使用とか、非常時には使用分野の多いペットボトル容器になる。